(57)【特許請求の範囲】
【請求項１】
筐体（１）の左右の側板（４）（４）間に略水平に架設された中間ベース板（９）と、前記各側板（４）（４）に形成された装着孔（３１）に夫々外側から嵌合して着脱自在に装着された取っ手部材（８）とを備えた遊技機において、前記各取っ手部材（８）は、前記装着孔（３１）に嵌合して前記側板（４）の内側に突出する本体部（３３）と、該本体部（３３）を前記側板（４）に着脱自在に固定する固定手段（３５）と、該固定手段（３５）よりも前記筐体（１）の内側で前記本体部（３３）上に配置された支持部（３６）とを有し、前記固定手段（３５）は、前記側板（４）の前記装着孔（３１）の上縁部内面側（３１ａ）に係合する上係合部（３８）と、前記側板（４）の前記装着孔（３１）の下縁部内面側（３１ｂ）に係合する下係合部（３９）とを備え、前記支持部（３６）は前記上係合部（３８）よりも高い位置に配置され、前記中間ベース板（９）は左右両端が前記各側板（４）（４）に当接して前記支持部（３６）上に配置され、該中間ベース板（９）は左右両端部が上側から固定ネジ（４５）により前記各支持部（３６）に固定されると共に、後折り曲げ部（４２）が前記筐体（１）の背板（７）に前側から固定ネジ（４６）により固定されていることを特徴とする遊技機。
【請求項２】
前記本体部（３３）は前記側板（４）の外側に向けて開放する開口部（３２）を備えた略箱形であることを特徴とする請求項１に記載の遊技機。
【請求項３】
前記本体部（３３）の前記開口部（３２）の周縁部から前記側板（４）に沿って外向きに延設された鍔部（３４）を備え、前記側板（４）の外側面で且つ前記装着孔（３１）の周辺部に、前記鍔部（３４）が嵌合する装着溝（３７）が形成されていることを特徴とする請求項２に記載の遊技機。
【請求項４】
前記支持部（３６）は、前記本体部（３３）の上側に突出して設けられていることを特徴とする請求項１〜３の何れかに記載の遊技機。
【請求項５】
一対の前記下係合部（３９）間に、前記本体部（３３）を前記側板（４）の外側から前記装着孔（３１）に嵌合するときに前記装着孔（３１）の下部内面に当接して案内する案内リブ（４０）を備えたことを特徴とする請求項１〜４の何れかに記載の遊技機。
【発明の詳細な説明】
【技術分野】
【０００１】
本発明は、スロットマシン等の遊技機に関するものである。
【背景技術】
【０００２】
例えばスロットマシンは、前側が開放した矩形箱形の本体ケースと、この本体ケースの前側に開閉自在に装着された矩形状の前面パネルとよりなる筐体内に、図柄表示リールユニット等が配置された構成となっている。
【０００３】
一般的なスロットマシンでは、この図柄表示リールユニットは、重量物であるために前面パネル側ではなく本体ケース側に固定されている場合が多い。即ち、本体ケースを構成する左右の側板間に中間ベース板を水平に架設し、その中間ベース板上に図柄表示リールユニットを設置したものが主流となっている（特許文献１参照）。
【０００４】
この中間ベース板は、その左右両端側を例えば断面Ｌ型の取付金具を介して本体ケースの側板にネジ止めされると共に、後縁側を本体ケースの背面板にネジ止めされることにより本体ケースに固定されている。
【特許文献１】特開２００４−２２３１２６号公報
【発明の開示】
【発明が解決しようとする課題】
【０００５】
従来のスロットマシンでは、中間ベース板を本体ケースに固定する際に、Ｌ型金具等の固定部材を用いているため、部品点数が多くなり、また組み立て工数も多くなって製品コストを押し上げており、また製品の重量化の一因でもあった。
【０００６】
なお、Ｌ型金具等を用いることなく中間ベース板を側板に直接ネジ止め等することも考えられるが、この場合には部品点数は削減できるものの、組み立て作業は逆に煩雑化してしまう。
【０００７】
本発明は、このような従来の問題点に鑑み、部品点数を抑えつつ、中間ベース板の取付に係る組み立て工程を簡略化できる遊技機を提供することを目的とする。
【課題を解決するための手段】
【０００８】
本発明は、筐体１の左右の側板４，４間に略水平に架設された中間ベース板９と、前記各側板４，４に形成された装着孔３１に夫々外側から嵌合して着脱自在に装着された取っ手部材８とを備えた遊技機において、前記各取っ手部材８は、前記装着孔３１に嵌合して前記側板４の内側に突出する本体部３３と、該本体部３３を前記側板４に着脱自在に固定する固定手段３５と、該固定手段３５よりも前記筐体１の内側で前記本体部３３上に配置された支持部３６とを有し、前記固定手段３５は、前記側板４の前記装着孔３１の上縁部内面側３１ａに係合する上係合部３８と、前記側板４の前記装着孔３１の下縁部内面側３１ｂに係合する下係合部３９とを備え、前記支持部３６は前記上係合部３８よりも高い位置に配置され、前記中間ベース板９は左右両端が前記各側板４，４に当接して前記支持部３６上に配置され、該中間ベース板９は左右両端部が上側から固定ネジ４５により前記各支持部３６に固定されると共に、後折り曲げ部４２が前記筐体１の背板７に前側から固定ネジ４６により固定されているものである。
【発明の効果】
【０００９】
本発明によれば、Ｌ型金具等を介して中間ベース板９を固定する場合と比べて部品点数を少なくでき、中間ベース板９を取っ手部材８上に乗せて固定するだけでよいため、組み立て作業も極めて簡単である。
【発明を実施するための最良の形態】
【００１０】
以下、本発明の実施形態を図面に基づいて詳述する。図１〜図６は、本発明をスロットマシンとして具現化した第１の実施形態を例示している。図１〜図４において、１は遊技機の筐体で、本体ケース２と、この本体ケース２の前側に配置された矩形状の前面パネル３とを備えている。
【００１１】
本体ケース２は、例えば木製で、左右一対の側板４，４と、それら左右の側板の上下両端側を連結する上板５及び底板６と、背面側を略塞ぐ背板７とで前側が開放した箱形に形成されており、その前側を開閉自在に閉鎖するように前面パネル３が装着されている。
【００１２】
本体ケース２には、その左右の側板４，４の上下方向略中央に、当該スロットマシンを人手で移動させる際などに手を掛けるための取っ手部材８が夫々装着されている。
【００１３】
また、本体ケース２内には、その上下方向略中央部分に内部空間を上下に仕切るように中間ベース板９が略水平に配置されている。この中間ベース板９は、例えばその左右両端側を取っ手部材８により、後端側を背板７により夫々支持されている。なお、この中間ベース板９の支持構造の詳細は後述する。
【００１４】
本体ケース２内には、図柄表示リール１０ａ〜１０ｃを左右方向に備えた表示リールユニット１０、メダル払い出し装置１１、メダル補助ケース１２、電源ユニット１３等が配置されており、表示リールユニット１０は中間ベース板９上に装着され、メダル払い出し装置１１、メダル補助ケース１２、電源ユニット１３等は中間ベース板９の下側で底板６上に装着されている。
【００１５】
メダル払い出し装置１１は、払い出し用のメダルを貯留するメダルホッパー１４、このメダルホッパー１４内のメダルを払い出すメダル払い出し手段１５、メダルホッパー１４から溢れたメダル等の余剰メダルをメダル補助ケース１２側に排出する余剰メダル排出口１６等を備えている。
【００１６】
前面パネル３は、左右一端側に配置されたヒンジを介して本体ケース２に対して開閉自在に装着されており、その上部には、本体ケース２内の図柄表示リール１０ａ〜１０ｃに対応する３つの表示窓１７ａ〜１７ｃが左右方向に配置されている。
【００１７】
また、例えば表示窓１７ａ〜１７ｃの下側に横長状に設けられた操作パネル部１８には、遊技媒体としてのメダルを投入可能なメダル投入口１９、このメダル投入口１９内に詰まったメダルを返却させるための返却ボタン２０の他、メダル投入口１９へのメダル投入に代えてクレジットからメダルをベットするための１投入ボタン２１及びマックス投入ボタン２２、獲得したメダルをクレジットするか払い出すかの設定を切り換えるためのクレジット精算ボタン２３、図柄表示リール１０ａ〜１０ｃの回転を開始させるためのスタートレバー２４、回転中の図柄表示リール１０ａ〜１０ｃを夫々個別に停止させるためのストップボタン２５ａ〜２５ｃ等が設けられている。
【００１８】
前面パネル３の下端部前側には、メダル払い出し手段１５から払い出されたメダル等を前側に排出するための排出口２６が設けられ、その前側に、排出口２６から排出されたメダルを受けるメダル受け皿２７が横長状に配置されている。
【００１９】
前面パネル３の裏側には、メダル投入口１９に投入されたメダルの選別を行うメダル選別手段２８、このメダル選別手段２８により不適正と判別されたメダルを排出口２６側に案内する返却通路２９等が設けられている。
【００２０】
続いて、中間ベース板９の支持構造について詳述する。上述したように、中間ベース板９は、その左右両端側を取っ手部材８により、後端側を背板７により夫々支持されている。
【００２１】
取っ手部材８は、図４，図５等に示すように、側板４に貫通状に形成された装着孔３１に外側から着脱自在に装着されている。即ち、取っ手部材８は例えば合成樹脂製で、左右方向の外側に向けて開放する開口部３２を備えた略箱形の本体部３３と、開口部３２の周縁部から側板４に沿って外向きに延設された鍔部３４と、開口部３２の近傍に設けられ且つ取っ手部材８を装着孔３１に固定するための固定手段３５と、本体部３３の上板部３３ａの上面側に設けられ且つ中間ベース板９を下側から支持する支持部３６とを一体に備え、本体部３３を装着孔３１に外側から嵌合させ、鍔部３４を装着孔３１の外側周辺部に当接させた状態で、固定手段３５により着脱自在に固定されている。
【００２２】
なお、側板４の外面側で且つ装着孔３１の周辺部には、図６（ａ）に示すように鍔部３４に対応する装着溝３７が形成されており、取っ手部材８を装着孔３１に装着したとき、鍔部３４がこの装着溝３７に嵌合して、取っ手部材８は側板４と略面一になる。
【００２３】
本体部３３は、取っ手部材８を装着孔３１に装着した状態で側板４の内面側よりも内側に突出しており、その突出部分に支持部３６が例えば上向き突起状に形成されている。
【００２４】
固定手段３５は、取っ手部材８を装着孔３１に装着した状態で装着孔３１の外縁部内面側に係合するように構成されており、例えば装着孔３１の上縁部内面側３１ａに係合する上係合部３８と、装着孔３１の下縁部内面側３１ｂに係合する下係合部３９とを備えている。
【００２５】
上係合部３８は、例えば本体部３３の上板部３３ａの上面側に上向き突起状に形成されており、例えば本体部３３の幅方向（筐体１の前後方向）に１又は複数、例えば略等間隔で４個設けられている。
【００２６】
下係合部３９は、例えば鍔部３４の下部背面側に装着孔３１の内側に向けて突起状に形成され、その先端側には装着孔３１の下縁部内面側３１ｂに係脱自在に係合する係合爪３９ａが一体に設けられており、例えば本体部３３の幅方向に１又は複数、例えば両端側近傍に夫々１個ずつ設けられている。
【００２７】
また、一対の下係合部３９，３９の間には、装着孔３１の下部内面側に当接する案内リブ４０が、本体部３３の下板部３３ｂの下面側から鍔部３４の下部背面側に跨って一体に設けられている。案内リブ４０は、例えば装着方向の先端側がＲ状に形成されており、下係合部３９，３９の間に１又は複数、例えば所定間隔を開けて２個配置されている。
【００２８】
取っ手部材８を装着する際には、本体部３３を装着孔３１に外側から嵌合させるように、取っ手部材８を内側に向けて押し込んでゆく（図６（ａ））。その際、上係合部３８は上板部３３ａを下向きに撓ませつつ装着孔３１の上部内面側に沿って摺動し、下係合部３９は係合爪３９ａを上側に逃がすように弾性変形しつつ装着孔３１の上部内面側に沿って摺動する。なおこのとき、案内リブ４０が装着孔３１の下部内面側に沿って摺動することにより、取っ手部材８を装着孔３１の内面側に沿って内向きにスムーズに案内するようになっている。
【００２９】
そして、鍔部３４が装着溝３７に嵌合すると、上係合部３８は装着孔３１の上縁部内面側３１ａに、下係合部３９は装着孔３１の下縁部内面側３１ｂに夫々係合して、取っ手部材８の外向きの移動が規制され、取っ手部材８は側板４に固定された状態となる（図６  （ｂ））。
【００３０】
中間ベース板９は、例えば金属製で、略矩形の略平板状に形成されており、その前縁側には例えば下向き略直角に折り曲げられた前折り曲げ部４１が、後縁側には例えば上向き略直角に折り曲げられた後折り曲げ部４２が夫々設けられている。
【００３１】
また、中間ベース板９の左右両端側で且つ取っ手部材８側の支持部３６に対応する位置、及び後折り曲げ部４２上の所定位置には、ネジ止め用の固定孔４３，４４が夫々設けられている。
【００３２】
この中間ベース板９は、取っ手部材８を側板４に装着した後で次のような手順で装着される。即ち、中間ベース板９を、その後縁側を背板７に当接させつつ、その左右両端側を取っ手部材８上に乗せる。そして、固定ネジ４５により固定孔４３と取っ手部材８側の支持部３６とを固定し、固定ネジ４６により固定孔４４と背板７とを固定する（図５，図６（ｃ））。
【００３３】
以上説明したように、本実施形態のスロットマシンでは、取っ手部材８が、側板４の内面側よりも内側に向けて突出しており、中間ベース板９の左右両端側を取っ手部材８の突出部分の上側に載置した状態で、中間ベース板９を取っ手部材８に固定しているため、Ｌ型金具等を介して中間ベース板９を固定する場合と比べて部品点数を少なくできる。また、中間ベース板９を取っ手部材８上に乗せてネジ止め等を行うだけでよいため、組み立て作業も極めて簡単である。
【００３４】
また、取っ手部材８は本体ケース２の内部で中間ベース板９側に固定されるため、例えば係合爪３９ａが破損してしまったような場合でも、持ち運びの際に取っ手部材８が不用意に外れてしまうような事故を防止できる利点もある。
【００３５】
図７及び図８は本発明の第２の実施形態を例示し、取っ手部材８側に、中間ベース板９の側端部近傍を直接保持する保持部５０を設けた例を示している。即ち、第１の実施形態では、中間ベース板９を取っ手部材８側にネジ止めにより固定する例を示したが、本実施形態では、取っ手部材８側に設けた保持部５０により中間ベース板９側を直接保持するようになっている。
【００３６】
本実施形態の保持部５０は、例えば本体部３３の上板部３３ａの上面側に１又は複数、例えば２つ設けられた係合爪５１により構成されている。なお、係合爪５１は、第１の実施形態と同様の支持部３６上に設けてもよい。
【００３７】
この係合爪５１は、中間ベース板９の左右両端側に設けられた例えば開口状の被係合部５２に対応して配置されており、その被係合部５２の左右方向外側の縁部に下側から係脱可能に係合するように形成されている。その他の構成は第１の実施形態と同様である。
【００３８】
本実施形態では、中間ベース板９の取っ手部材８側への固定にネジ等を用いる必要がなく、中間ベース板９を取っ手部材８上に載置する際に、取っ手部材８側の係合爪５１を中間ベース板９側の被係合部５２に係合させるだけでよいため、組み立て作業をより一層簡略化できる。
【００３９】
また、係合爪５１は、被係合部５２の左右方向外側の縁部に係合するように構成されているため、係合爪５１が取っ手部材８の抜け止めとしても有効に作用し、第１の実施形態と同様、例えば係合爪３９ａが破損してしまったような場合でも、持ち運びの際に取っ手部材８が不用意に外れてしまうような事故を防止できる利点もある。
【００４０】
図９及び図１０は本発明の第３の実施形態を例示し、中間ベース板９の側端部近傍を直接保持する保持部５０として、取っ手部材８側に、中間ベース板９の側縁部９ａを前後方向摺動可能な状態で上下方向に保持する第１保持レール５３を備えた例を示している。
【００４１】
第１保持レール５３は、例えば装着孔３１の上縁部内面側３１ａに係合する上係合部３８と一体に形成され、例えば本体部３３の幅方向の略全体にわたって設けられており、中間ベース板９の上面側に略当接して中間ベース板９の上向きの移動を規制する上保持部５４と、この上保持部５４を本体部３３上に支持すると共に中間ベース板９の側縁部９ａに略当接して中間ベース板９の左右方向外向きの移動を規制する横保持部５５とで断面略Ｌ形に形成されている。
【００４２】
また、中間ベース板９は、その後折り曲げ部４２が、第１保持レール５３により保持される側縁部９ａを避けた位置に設けられている。
【００４３】
中間ベース板９を装着する際には、その側縁部９ａを第１保持レール５３に保持させた状態で取っ手部材８の本体部３３の上面側に沿って後ろ向きにスライドさせ、後折り曲げ部４２を背板７に当接させた後、この後折り曲げ部４２を背板７側にネジ止め等により固定すればよい。
【００４４】
本実施形態の場合も、中間ベース板９の取っ手部材８側への固定にネジ等を用いる必要がなく、中間ベース板９を取っ手部材８上で後ろ向きにスライドさせるだけでよいため、組み立て作業を簡略化できる。
【００４５】
図１１及び図１２は本発明の第４の実施形態を例示し、中間ベース板９の側端部近傍を直接保持する保持部５０として、第３の実施形態と同様の第１保持レール５３に加えて、中間ベース板９の側縁部９ａを前後方向摺動可能な状態で左右方向に保持する第２保持レール５６を設けた例を示している。
【００４６】
本実施形態の中間ベース板９は、左右の側縁部９ａに、例えば下向き略直角に折り曲げられた横折り曲げ部５７が設けられている。
【００４７】
また、取っ手部材８には、第３の実施形態と同様の第１保持レール５３に加えて第２保持レール５６が設けられている。この第２保持レール５６は、中間ベース板９側の横折り曲げ部５７を、前後方向摺動可能な状態で左右方向に保持する溝状で、例えば第１保持レール５３の横保持部５５の内側に沿って本体部３３の上板部３３ａに下向きに形成されている。
【００４８】
中間ベース板９を装着する際には、その側縁部９ａを第１保持レール５３及び第２保持レール５６に保持させた状態で、取っ手部材８の本体部３３の上面側に沿って後ろ向きにスライドさせ、後折り曲げ部４２を背板７に当接させた後、この後折り曲げ部４２を背板７側にネジ止め等により固定すればよい。
【００４９】
本実施形態の場合も、中間ベース板９の取っ手部材８側への固定にネジ等を用いる必要がなく、中間ベース板９を取っ手部材８上で後ろ向きにスライドさせるだけでよいため、組み立て作業を簡略化できる。
【００５０】
更に、第２保持レール５６が中間ベース板９の側縁部９ａを左右方向に保持するため、第２保持レール５６が取っ手部材８の抜け止めとしても有効に作用し、第１、第２の実施形態と同様、例えば係合爪３９ａが破損してしまったような場合でも、持ち運びの際に取っ手部材８が不用意に外れてしまうような事故を防止できる利点もある。
【００５１】
以上、本発明の実施形態について詳述したが、本発明はこれらの実施形態に限定されるものではなく、本発明の趣旨を逸脱しない範囲で種々の変更が可能である。例えば、中間ベース板９を取っ手部材８側にのみ固定し、背板７側への固定は行わなくてもよい。
【００５２】
中間ベース板９の材料、形状等は任意である。例えば中間ベース板９を合成樹脂等により任意の形状に成形することも可能である。また、本体ケース２の材料、形状等も任意であり、木材に限らず合成樹脂等により形成してもよい。
【００５３】
保持部５０は、中間ベース板９の側縁部９ａ又はその近傍を保持するものであればよく、例えば中間ベース板９側の係合爪が係合可能な被係合部により構成してもよい。
【００５４】
また、第２の実施形態の場合、被係合部５２は中間ベース板９側の係合爪５１が係合可能であればよく、例えば開口ではなく切欠により構成してもよい。
【００５５】
取っ手部材８は、実施形態のように圧入により側板４に固定するものに限らず、例えばネジ止めにより固定するようにしてもよい。
【００５６】
なお、実施形態では、本発明をスロットマシンに適用した例を示したが、筐体内に中間ベース板を備えるものであればどのような種類の遊技機においても同様に実施可能であることは言うまでもない。
【図面の簡単な説明】
【００５７】
【図１】本発明の第１の実施形態を示すスロットマシンの全体斜視図である。
【図２】本発明の第１の実施形態を示すスロットマシンの側面図である。
【図３】本発明の第１の実施形態を示すスロットマシンの側面断面図である。
【図４】本発明の第１の実施形態を示すスロットマシンの本体ケース側の正面部分断面図である。
【図５】本発明の第１の実施形態を示す取っ手部材の斜視図である。
【図６】本発明の第１の実施形態を示す取っ手部材及び中間ベース板の取付状態の説明図である。
【図７】本発明の第２の実施形態を示す取っ手部材の斜視図である。
【図８】本発明の第２の実施形態を示す取っ手部材及び中間ベース板の取付状態の説明図である。
【図９】本発明の第３の実施形態を示す取っ手部材の斜視図である。
【図１０】本発明の第３の実施形態を示す取っ手部材及び中間ベース板の取付状態の説明図である。
【図１１】本発明の第４の実施形態を示す取っ手部材の斜視図である。
【図１２】本発明の第４の実施形態を示す取っ手部材及び中間ベース板の取付状態の説明図である。
【符号の説明】
【００５８】
１  筐体
４    側板
８    取っ手部材
９    中間ベース板
９ａ  側縁部
３１    装着孔
５０    保持部
５１    係合爪
５２    被係合部
５３    第１保持レール
５６    第２保持レール
【図１】
0004437465.tif 000002
【図２】
0004437465.tif 000003
【図３】
0004437465.tif 000004
【図４】
0004437465.tif 000005
【図５】
0004437465.tif 000006
【図６】
0004437465.tif 000007
【図７】
0004437465.tif 000008
【図８】
0004437465.tif 000009
【図９】
0004437465.tif 000010
【図１０】
0004437465.tif 000011
【図１１】
0004437465.tif 000012
【図１２】
0004437465.tif 000013